(57)【特許請求の範囲】
【請求項１】
商品券を読み取って商品券データを得る読取部と、使用可能商品券データを記憶する第１の記憶部と、判別部と、を有する商品券読取手段と、
前記商品券読取手段の前記読取部により読み取られた前記商品券データに基づいて、前記商品券の金額が特定可能な情報を取得する商品券金額情報取得手段と、
前記商品券が釣銭払出不可の商品券か否かが特定可能な情報を取得する商品券種類情報取得手段と、
前記商品券が釣銭払出不可の商品券であることを特定する情報が取得されたときに、前記商品券金額情報取得手段によって取得された前記情報に基づいて特定される金額と売上高の差額を余剰金として取引毎に算出する余剰金算出手段と、
を備え、
前記商品券読取手段の前記判別部は、前記商品券読取手段の前記読取部により読み取られた前記商品券データと、前記第１の記憶部に記憶された前記使用可能商品券データとを比較することにより、前記商品券を前記商品券読取手段で使用可能か否かを判別するようになっている、釣銭機。
【発明の詳細な説明】
【技術分野】
【０００１】
本発明は、商品券の管理を行う商品券管理システム、釣銭機、ＰＯＳレジスタおよび商品券管理方法に関する。
【背景技術】
【０００２】
従来から、商品券の管理を行う商品券管理システムとして様々な種類のものが知られている（例えば、特許文献１等参照）。このような商品券管理システムは、スーパーマーケットやコンビニエンスストア等の店舗において幅広く使用されるようになっている。従来の商品券管理システムの一例として、商品券の読み取りを行う商品券読取機を備えたものが用いられるようになっている。
【０００３】
また、商品券には、釣銭払出可能な商品券、および釣銭払出不可の商品券という２種類のものがいる。店員が顧客から釣銭払出可能な商品券を預かったときには、顧客が購入しようとする商品の合計金額である売上高と、顧客から預かった商品券の金額との差額が釣銭として払い出される。一方、店員が顧客から釣銭払出不可の商品券を預かったときには、顧客から預かった商品券の金額が、顧客が購入しようとする商品の合計金額である売上高より大きい場合でも、釣銭は払い出されないようになっている。すなわち、店員が顧客から釣銭払出不可の商品券を預かったときに、この商品券の金額が例えば１０００円である場合において、顧客が購入しようとする商品の合計金額が例えば８００円であったときでも、差額である２００円分は店員から顧客に戻されることはなく、余剰金として店舗側のものとなる。
【先行技術文献】
【特許文献】
【０００４】
【特許文献１】特許第３９５８５０８号
【発明の概要】
【発明が解決しようとする課題】
【０００５】
このように、店員が顧客から釣銭払出不可の商品券を預かったときには、顧客が購入しようとする商品の合計金額である売上高と、顧客から預かった商品券の金額との差額は顧客に戻されず、余剰金として店舗側のものとなるが、従来の商品券管理システムでは、このような余剰金について管理が行われていなかった。このため、顧客により釣銭払出不可の商品券が支払われたときには、釣銭機の釣銭準備金および総売上高の合計金額が、実際に収納されている貨幣および商品券の在高と一致しない場合に、その原因を特定することができないという問題があった。具体的に説明すると、釣銭準備金および総売上高の合計金額が、釣銭機に収納されている貨幣および商品券の在高と一致しない場合には、その原因として、貨幣を受け渡す際の店員の操作ミスや、顧客による釣銭払出不可の商品券の支払い等が考えられるが、従来の商品券管理システムでは、前述のように余剰金について管理が行われていなかったため、原因がどちらのものであるかを特定することができないという問題があった。
【０００６】
本発明は、このような点を考慮してなされたものであり、商品券が釣銭払出不可の商品券であるという情報が受け付けられたときに、受け付けられた商品券の金額と売上高の差額を余剰金として取引毎に算出することにより、余剰金の管理を適切に行うことができる商品券管理システム、釣銭機、ＰＯＳレジスタおよび商品券管理方法を提供することを目的とする。
【課題を解決するための手段】
【０００７】
本発明の商品券管理システムは、商品券の金額を特定可能な情報を取得する商品券金額情報取得手段と、商品券が釣銭払出不可の商品券か否かを特定可能な情報を取得する商品券種類情報取得手段と、商品券が釣銭払出不可の商品券であることを特定する情報が取得されたときに、前記商品券金額情報取得手段によって取得された前記情報に基づいて特定される金額と売上高の差額を余剰金として取引毎に算出する余剰金算出手段と、を備えている。
【０００８】
本発明の商品券管理システムにおいては、前記余剰金算出手段により算出された余剰金の金額を記憶する記憶部を更に備えていてもよい。
【０００９】
この際に、前記記憶部に記憶されている余剰金の金額を表示する表示部を更に備えていてもよい。
【００１０】
また、前記記憶部に記憶されている余剰金の金額を印字する印字部を更に備えていてもよい。
【００１１】
また、前記記憶部に記憶されている余剰金の金額を他の装置に送信する通信部を更に備えていてもよい。
【００１２】
また、顧客から受け取った商品券の在高、および顧客から受け取った貨幣の在高の合計在高と、前記記憶部に記憶されている余剰金の金額とに基づいて総売上高を算出する総売上高算出手段を更に備えていてもよい。
【００１３】
この際に、各取引の売上高の合計と、前記総売上高算出手段により算出された総売上高とを比較する比較手段を更に備えていてもよい。
【００１４】
本発明の商品券管理システムにおいては、前記商品券管理システムは、商品券読取機を備えており、当該商品券読取機は、商品券を読み取って商品券データを得る読取部を有しており、前記商品券金額情報取得手段は、前記商品券読取機の前記読取部により読み取られた商品券データに基づいて、商品券の金額を特定可能な情報を取得するようになっていてもよい。
【００１５】
この場合、釣銭払出不可商品券データまたは釣銭払出可能商品券データを記憶する記憶部を更に備え、前記商品券種類情報取得手段は、前記商品券読取機の前記読取部により読み取られた商品券データと前記記憶部に記憶された釣銭払出不可商品券データまたは釣銭払出可能商品券データとを比較することにより、商品券が釣銭払出不可の商品券か否かを特定可能な情報を取得するようになっていてもよい。
【００１６】
本発明の釣銭機は、商品券の金額を特定可能な情報を取得する商品券金額情報取得手段と、商品券が釣銭払出不可の商品券か否かを特定可能な情報を取得する商品券種類情報取得手段と、商品券が釣銭払出不可の商品券であることを特定する情報が取得されたときに、前記商品券金額情報取得手段によって取得された前記情報に基づいて特定される金額と売上高の差額を余剰金として取引毎に算出する余剰金算出手段と、を備えている。
【００１７】
本発明のＰＯＳレジスタは、商品券の金額を特定可能な情報を取得する商品券金額情報取得手段と、商品券が釣銭払出不可の商品券か否かを特定可能な情報を取得する商品券種類情報取得手段と、商品券が釣銭払出不可の商品券であることを特定する情報が取得されたときに、前記商品券金額情報取得手段によって取得された前記情報に基づいて特定される金額と売上高の差額を余剰金として取引毎に算出する余剰金算出手段と、を備えている。
【００１８】
本発明の商品券管理方法は、商品券の金額を特定可能な情報を取得する工程と、商品券が釣銭払出不可の商品券か否かを特定可能な情報を取得する工程と、商品券が釣銭払出不可の商品券であることを特定する情報が取得されたときに、取得された、商品券の金額を特定可能な情報に基づいて特定される金額と売上高の差額を余剰金として取引毎に算出する工程と、を備えている。
【００１９】
本発明の商品券管理方法においては、取引毎に算出された余剰金の金額を記憶部に記憶させる工程を更に備えていてもよい。
【発明の効果】
【００２０】
本発明の商品券管理システム、釣銭機、ＰＯＳレジスタおよび商品券管理方法によれば、商品券が釣銭払出不可の商品券であることを特定する情報が取得されたときに、取得された、商品券の金額を特定可能な情報に基づいて特定される金額と売上高の差額を余剰金として取引毎に算出することにより、余剰金の管理を適切に行うことができる。
【図面の簡単な説明】
【００２１】
【図１】本発明の実施の形態における貨幣処理システムの構成の概略を示す概略構成図である。
【図２】図１に示す貨幣処理システムにおける硬貨釣銭機、紙幣釣銭機、商品券読取機およびＰＯＳレジスタの外観を示す斜視図である。
【図３】図１等に示す貨幣処理システムの機能ブロック図である。
【図４】図１等に示す貨幣処理システムにおける商品券の処理方法を示すフローチャートである。
【図５】図５（ａ）は、本実施の形態の貨幣処理システムにおいて、ＰＯＳレジスタの印字部により印字されたジャーナル（集計データ）を示し、図５（ｂ）は、従来の貨幣処理システムにおいて、ＰＯＳレジスタの印字部により印字されたジャーナル（集計データ）を示している。
【図６】変形例に係る貨幣処理システムにおける硬貨釣銭機、紙幣釣銭機およびＰＯＳレジスタの外観を示す斜視図である。
【図７】図６等に示す貨幣処理システムの機能ブロック図である。
【図８】更なる変形例に係る貨幣処理システムにおけるＰＯＳレジスタの外観を示す斜視図である。
【図９】図８等に示す貨幣処理システムの機能ブロック図である。
【発明を実施するための形態】
【００２２】
以下、図面を参照して本発明の実施の形態について説明する。本実施の形態では、商品券の管理を行う商品券管理システムとして、釣銭機および商品券読取機を備えた貨幣処理システムが用いられた場合について説明している。図１乃至図５は、本実施の形態に係る貨幣処理システムを示す図である。このうち、図１は、本実施の形態における貨幣処理システムの構成の概略を示す概略構成図である。また、図２は、図１に示す貨幣処理システムにおける硬貨釣銭機、紙幣釣銭機、商品券読取機およびＰＯＳレジスタの外観を示す斜視図であり、図３は、図１等に示す貨幣処理システムの機能ブロック図である。また、図４は、図１等に示す貨幣処理システムにおける商品券の処理方法を示すフローチャートである。また、図５（ａ）は、本実施の形態の貨幣処理システムにおいて、ＰＯＳレジスタの印字部により印字されたジャーナル（集計データ）を示し、図５（ｂ）は、従来の貨幣処理システムにおいて、ＰＯＳレジスタの印字部により印字されたジャーナル（集計データ）を示している。
【００２３】
まず、本実施の形態の貨幣処理システム１の全体構成について図１および図２を用いて説明する。図１および図２に示すように、貨幣処理システム１は、硬貨釣銭機１００と、紙幣釣銭機２００と、商品券読取機５００と、ＰＯＳレジスタ３００とを備えている。硬貨釣銭機１００および紙幣釣銭機２００は、それぞれ硬貨や紙幣の入出金処理を行うようになっている。また、図２に示すように、硬貨釣銭機１００および紙幣釣銭機２００は左右方向に並べて配置される。また、ＰＯＳレジスタ３００は、硬貨釣銭機１００および紙幣釣銭機２００の上方に配置される。また、商品券読取機５００は、機体内に投入された商品券の読み取りを行うようになっている。
【００２４】
また、図１に示すように、ＰＯＳレジスタ３００は店舗サーバ４００に通信接続されている。そして、ＰＯＳレジスタ３００から店舗サーバ４００に売上金情報等が送信されるようになっている。また、各種設定情報が、店舗サーバ４００からＰＯＳレジスタ３００（複数台でも可）に配信されるようになっている。
【００２５】
図１に示すように、硬貨釣銭機１００は、上位制御部１２０および硬貨釣銭機制御部１３０を有しており、これらの上位制御部１２０および硬貨釣銭機制御部１３０は通信接続されている。また、紙幣釣銭機２００は紙幣釣銭機制御部２３０を有しており、この紙幣釣銭機制御部２３０は硬貨釣銭機１００の上位制御部１２０に通信接続されている。また、商品券読取機５００は商品券読取機制御部５３０を有しており、この商品券読取機制御部５３０は硬貨釣銭機１００の上位制御部１２０に通信接続されている。また、ＰＯＳレジスタ３００はＰＯＳ制御部３３０を有しており、硬貨釣銭機１００の上位制御部１２０はＰＯＳレジスタ３００のＰＯＳ制御部３３０に通信接続されている。
【００２６】
以下、硬貨釣銭機１００、紙幣釣銭機２００、商品券読取機５００およびＰＯＳレジスタ３００の構成について図１および図２を用いて詳述する。
【００２７】
まず、硬貨釣銭機１００の構成について具体的に説明する。図１および図２に示すように、硬貨釣銭機１００は、前部上面にタッチパネル等の操作表示部１１２が設けられた筐体１１０を備えている。筐体１１０の前部には硬貨受入部１１４および硬貨払出部１１６が設けられている。
【００２８】
硬貨受入部１１４は、投入された硬貨を検知すると駆動され、受け入れた硬貨を１層１列状態で１枚ずつ機体内に取り込むようになっている。図１に示すように、この硬貨受入部１１４には、当該硬貨受入部１１４により機体内に取り込まれた硬貨を搬送する入金搬送部１０３が接続されている。
【００２９】
図１に示すように、入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ案内（搬送）するようになっている。
【００３０】
一方、正常硬貨等の機体内に収納されるべき硬貨は入金搬送部１０３により硬貨収納部１０６へ搬送されるようになっている。硬貨収納部１０６は硬貨を金種別に収納するようになっている。具体的には、例えば入金搬送部１０３の上流側から高額順に硬貨が収納される。
【００３１】
出金搬送部１０８は、硬貨収納部１０６から繰り出された硬貨を硬貨払出部１１６へ搬送するようになっている。また、出金搬送部１０８は、分岐部１０４から案内されたリジェクト硬貨等を硬貨払出部１１６へ搬送するようになっている。
【００３２】
次に、紙幣釣銭機２００の構成について具体的に説明する。図１および図２に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、および紙幣回収カセット２０７が、周回搬送部２０３ａを外周から取り囲むように配置されている。
【００３３】
また、紙幣釣銭機２００の筐体２１０の内部には、紙幣受入部２１４、各紙幣収納部２０６、紙幣払出部２１６、出金リジェクト部２０４、および紙幣回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別を行うようになっている。
【００３４】
また、周回搬送部２０３ａと各接続搬送部２０３ｂとの間で紙幣の搬送経路を切り換える経路切換部（図示せず）が、周回搬送部２０３ａに沿って配置されている。
【００３５】
図１および図２に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に取り付けられている。
【００３６】
紙幣受入部２１４は、投入された紙幣を検知すると駆動され、紙幣受入口２１４ａに挿入された入金紙幣を一括で取り込んで、周回搬送部２０３ａ側へ１枚ずつ繰り出すようになっている。各紙幣収納部２０６は、紙幣識別部２０１の識別結果に基づいて紙幣を金種別に収納する。紙幣払出部２１６は、各紙幣収納部２０６から周回搬送部２０３ａに繰り出された紙幣を紙幣取出口２１６ａより機外へ放出するようになっている。
【００３７】
出金リジェクト部２０４は、紙幣収納部２０６から繰り出された紙幣のうち、斜行等の搬送異常により紙幣識別部２０１で識別することができない紙幣を出金リジェクト紙幣として収納する。また、紙幣受入部２１４から機体内に取り込まれた紙幣のうち、汚損等により紙幣識別部２０１で識別することができない紙幣は入金リジェクト紙幣として紙幣払出部２１６に返却されるようになっている。
【００３８】
次に、商品券読取機５００の構成について具体的に説明する。図１および図２に示すように、商品券読取機５００は、略直方体形状の筐体５１０と、商品券を受け入れる商品券受入部５０２と、筐体５１０内で商品券を搬送する商品券搬送部５０３と、商品券を収納する商品券収納部５０６とを備えている。商品券読取機５００には、外部に返却すべき商品券が商品券搬送部５０３から送られるリジェクト部５０４が設けられている。
【００３９】
図２に示すように、商品券読取機５００の筐体５１０の前面には投入口５０２ａおよびリジェクト口５０４ａが設けられている。投入口５０２ａに投入された商品券は商品券受入部５０２に受け入れられるようになっており、商品券受入部５０２に受け入れられた商品券は、当該商品券受入部５０２に設けられた繰出機構（図示せず）により１枚ずつ商品券搬送部５０３に繰り出されるようになっている。また、図１に示すように、商品券搬送部５０３には商品券読取部５０１が設けられており、この商品券読取部５０１により商品券を読み取って商品券データを得るようになっている。商品券読取部５０１は例えばラインセンサからなり、このラインセンサにより商品券の画像データが得られるようになっている。そして、商品券読取部５０１では、この画像データに基づいて、商品券の発行元、金額、釣銭払出可否等を特定可能な情報が商品券データとして得られるようになっている。なお、画像データそのものを商品券データとして扱ってもよい。
【００４０】
図１に示すように、商品券搬送部５０３は商品券収納部５０６およびリジェクト部５０４に接続されており、商品券読取部５０１により読み取りが行われた商品券は商品券収納部５０６およびリジェクト部５０４のうちいずれか一方に搬送されるようになっている。商品券収納部５０６には、商品券搬送部５０３から送られた商品券が積層状態で収納されるようになっている。図２に示すように、商品券読取機５００の筐体５１０の前面には扉５０８が設けられており、この扉５０８を開くことにより商品券収納部５０６に収納された商品券を取り出すことができるようになっている。この際に、商品券のみを取り出す方式でも、商品券が収納されたカセットを取り出す方式のいずれでもよい。一方、商品券搬送部５０３からリジェクト部に送られた商品券はリジェクト口５０４ａを介して筐体５１０の外部に返却されるようになっている。
【００４１】
次に、ＰＯＳレジスタ３００の構成について具体的に説明する。ＰＯＳレジスタ３００は、商品の購入情報を登録するとともに、硬貨釣銭機１００や紙幣釣銭機２００に対して硬貨や紙幣の入出金処理を行わせるようになっている。
【００４２】
ＰＯＳレジスタ３００のＰＯＳ制御部３３０は、図１に示すように、硬貨釣銭機１００の上位制御部１２０に通信接続されているとともに、店舗サーバ４００にも通信接続されている。そして、このＰＯＳ制御部３３０は、硬貨釣銭機１００の上位制御部１２０を介して当該硬貨釣銭機１００の硬貨釣銭機制御部１３０や紙幣釣銭機２００の紙幣釣銭機制御部２３０に指令を送ることにより硬貨釣銭機１００や紙幣釣銭機２００に対して硬貨や紙幣の入出金処理を行わせるようになっている。また、ＰＯＳ制御部３３０は、硬貨釣銭機１００の硬貨釣銭機制御部１３０や紙幣釣銭機２００の紙幣釣銭機制御部２３０から、上位制御部１２０を介して、硬貨釣銭機１００や紙幣釣銭機２００における硬貨や紙幣の処理状況に係る情報を受け取るようになっている。また、ＰＯＳ制御部３３０は、硬貨釣銭機１００の上位制御部１２０を介して、商品券読取機５００により読み取られた商品券の商品券データを受け取るようになっている。
【００４３】
操作部３０４は、操作者が操作することができるようになっており、ＰＯＳ制御部３３０に対して様々な指令を与えることができるようになっている。また、表示部３０２は、硬貨釣銭機１００や紙幣釣銭機２００における硬貨や紙幣の処理状況や、硬貨釣銭機１００や紙幣釣銭機２００の内部に収納された硬貨や紙幣の在高を表示するようになっている。また、ＰＯＳレジスタ３００には、客（購入者）が視認可能な追加の表示部３０２ａが設けられており、様々な情報を表示部３０２に表示させる代わりに、あるいは表示部３０２における表示に加えて、追加の表示部３０２ａにおいて表示が行われるようになっていてもよい。また、ＰＯＳレジスタ３００にはカードリーダ３３６および印字部３３８が設けられている（図３参照、図１および図２では図示せず）。カードリーダ３３６は、操作者のＩＤカードを読み取ることにより操作者のＩＤや権限等に関する情報を取得するようになっている。また、印字部３３８は例えばプリンタから構成され、売上レシートや集計レシートに加えて、硬貨釣銭機１００や紙幣釣銭機２００に収納された硬貨や紙幣の在高等の様々な情報を印字するようになっている。
【００４４】
図３に、上述のような構成からなる貨幣処理システム１の機能ブロック図を示す。図３に示すように、硬貨釣銭機１００の上位制御部１２０には、硬貨釣銭機１００のインターフェース１３２、操作表示部１１２および記憶部１３４が接続されている。この上位制御部１２０は、インターフェース１３２により、紙幣釣銭機２００の紙幣釣銭機制御部２３０や商品券読取機５００の商品券読取機制御部５３０、ならびにＰＯＳレジスタ３００のＰＯＳ制御部３３０に対して信号の送受信を行うようになっている。また、操作者により操作表示部１１２に入力された指令が当該操作表示部１１２から上位制御部１２０に送られるとともに、上位制御部１２０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の内部に収納された硬貨や紙幣の在高を表示するようになっている。また、記憶部１３４には、硬貨釣銭機１００や紙幣釣銭機２００における硬貨や紙幣の処理状況や、硬貨釣銭機１００や紙幣釣銭機２００の内部に収納された硬貨や紙幣の在高等の様々な情報が記憶されるようになっている。
【００４５】
硬貨釣銭機１００の硬貨釣銭機制御部１３０には、硬貨受入部１１４、入金搬送部１０３、硬貨識別部１０１、分岐部１０４、硬貨収納部１０６、出金搬送部１０８、硬貨払出部１１６等がそれぞれ接続されており、硬貨識別部１０１から硬貨釣銭機制御部１３０に硬貨の識別結果が送られるとともに、硬貨釣銭機制御部１３０から硬貨受入部１１４、入金搬送部１０３、分岐部１０４、硬貨収納部１０６、出金搬送部１０８、硬貨払出部１１６等の各々に対して様々な指令が送られるようになっている。
【００４６】
紙幣釣銭機２００の紙幣釣銭機制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６等がそれぞれ接続されており、紙幣識別部２０１から紙幣釣銭機制御部２３０に紙幣の識別結果が送られるとともに、紙幣釣銭機制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっている。また、紙幣釣銭機２００の紙幣釣銭機制御部２３０は、インターフェース２３２により、硬貨釣銭機１００の上位制御部１２０に対して信号の送受信を行うようになっている。
【００４７】
商品券読取機５００の商品券読取機制御部５３０は、インターフェース５３２、商品券受入部５０２、商品券搬送部５０３、商品券読取部５０１、商品券収納部５０６、リジェクト部５０４、判別部５３６、記憶部５３４等が接続されている。そして、商品券読取部５０１から商品券読取機制御部５３０に商品券データが送られるとともに、商品券読取機制御部５３０から商品券受入部５０２、商品券搬送部５０３、商品券収納部５０６、リジェクト部５０４等の各々に対して様々な指令が送られるようになっている。また、商品券読取機５００の商品券読取機制御部５３０は、インターフェース５３２により、硬貨釣銭機１００の上位制御部１２０に対して信号の送受信を行うようになっている。また、商品券読取機制御部５３０に接続された記憶部５３４には、使用可能商品券データが記憶されるようになっている。具体的には、商品券読取機５００で使用可能な商品券の発行元（例えば、商品券を発行した百貨店や会社等）の情報が、使用可能商品券データとして記憶部５３４に記憶されるようになっている。また、記憶部５３４には、釣銭払出不可商品券データも記憶されるようになっている。ここで、釣銭払出不可の商品券とは、店員が顧客からこのような商品券を預かったときには、顧客から預かった商品券の金額が、顧客が購入しようとする商品の合計金額である売上高より大きい場合でも、釣銭が払い出されないように取り決められている商品券のことをいう。このように、商品券の情報が、釣銭払出不可商品券データとして記憶部５３４に記憶されるようになっている。
【００４８】
また、商品券読取機制御部５３０に接続された判別部５３６は、商品券読取部５０１により得られた商品券データと、記憶部５３４に記憶された使用可能商品券データとを比較することにより、商品券読取部５０１により読み取られた商品券が商品券読取機５００で使用可能かを判別するようになっている。また、判別部５３６は、商品券読取部５０１により読み取られた商品券が使用可能であることが判別されたときに、この商品券の商品券データと記憶部５３４に記憶された釣銭払出不可商品券データとを比較することにより当該商品券が釣銭払出不可の商品券か否かを判別するようになっている。なお、釣銭払出可能商品券データを記憶部５３４に記憶させたり、発行元データに基づいて釣銭払出可否を判定したりするようにしてもよい。判別部５３６による商品券の具体的な判別方法については後述する。
【００４９】
また、本実施の形態の貨幣処理システム１では、図３に示すように、商品券読取機５００の商品券読取機制御部５３０には、商品券金額受付手段５５０（特許請求の範囲における商品券金額情報取得手段に対応）、商品券種類受付手段５５２（特許請求の範囲における商品券種類情報取得手段に対応）および余剰金算出手段５５４がそれぞれ接続されている。商品券金額受付手段５５０は、商品券読取機５００の機体内に投入された商品券の金額を特定可能な情報を取得することにより当該商品券の金額を受け付けるようになっている。具体的には、商品券金額受付手段５５０は、商品券読取機５００の商品券読取部５０１により読み取られた商品券データに基づく商品券の金額を受け付けるようになっている。また、商品券種類受付手段５５２は、商品券読取機５００の機体内に投入された商品券が釣銭払出不可の商品券か否かを特定可能な情報を取得することにより当該情報を受け付けるようになっている。具体的には、判別部５３６により、商品券読取機５００の機体内に投入された商品券が釣銭払出不可の商品券か否かが判別されるようになっているが、商品券種類受付手段５５２は、判別部５３６による当該判別結果を受け付けるようになっている。
【００５０】
また、余剰金算出手段５５４は、商品券読取機５００の機体内に投入された商品券が釣銭払出不可の商品券であるという情報が商品券種類受付手段５５２により受け付けられたときに、商品券金額受付手段５５０により受け付けられた商品券の金額と、顧客が購入しようとする商品の差額を余剰金として取引毎に算出するようになっている。なお、ここで「取引」とは、顧客が購入しようとする商品の代金を店員に支払う際に、顧客が商品券を店員に手渡し、店員が商品券を商品券読取機５００に投入し、釣銭がある場合には硬貨釣銭機１００や紙幣釣銭機２００から出金された釣銭を店員が顧客に手渡すような一連の動作のことをいう。また、余剰金算出手段５５４により算出された余剰金の金額は、商品券読取機５００の記憶部５３４や硬貨釣銭機１００の記憶部１３４に記憶されるようになっている。また、余剰金算出手段５５４により算出された余剰金の金額は、硬貨釣銭機１００の操作表示部１１２やＰＯＳレジスタ３００の表示部３０２に表示されたり、ＰＯＳレジスタ３００の印字部３３８により印字されたりするようになっている。また、商品券読取機５００のインターフェース５３２は、記憶部５３４に記憶されている余剰金の金額を他の装置に送信する通信部として機能するようになっている。
【００５１】
また、図３に示すように、硬貨釣銭機１００の上位制御部１２０には総売上高算出手段１３８および比較手段１４０がそれぞれ接続されている。総売上高算出手段１３８は、顧客から受け取った商品券の在高、および顧客から受け取った貨幣の在高の合計在高と、硬貨釣銭機１００の記憶部１３４や商品券読取機５００の記憶部５３４に記憶されている余剰金の金額とに基づいて総売上高を算出するようになっている。また、比較手段１４０は、各取引の売上高の合計と、総売上高算出手段１３８により算出された総売上高とを比較するようになっている。
【００５２】
また、ＰＯＳレジスタ３００のＰＯＳ制御部３３０には、表示部３０２、操作部３０４、記憶部３３４、インターフェース３３２、カードリーダ３３６、印字部３３８等がそれぞれ接続されており、操作者により操作部３０４に入力された指令が当該操作部３０４からＰＯＳ制御部３３０に送られたり、カードリーダ３３６により読み取られた操作者のＩＤカードに係る情報がＰＯＳ制御部３３０に送られたりするようになっている。また、ＰＯＳ制御部３３０は表示部３０２に指令を送ることにより当該表示部３０２に様々な情報を表示させるようになっている。なお、ＰＯＳ制御部３３０は、表示部３０２に様々な情報を表示させる代わりに、あるいは表示部３０２における表示に加えて、追加の表示部３０２ａにおいて表示を行わせるようになっていてもよい。また、ＰＯＳ制御部３３０は印字部３３８に指令を送ることにより当該印字部３３８により様々な情報を印字させるようになっている。また、ＰＯＳレジスタ３００のＰＯＳ制御部３３０は、インターフェース３３２により、硬貨釣銭機１００の上位制御部１２０や店舗サーバ４００に対して信号の送受信を行うようになっている。また、記憶部３３４には、硬貨釣銭機１００や紙幣釣銭機２００から送信された、硬貨釣銭機１００や紙幣釣銭機２００における硬貨や紙幣の処理状況や、硬貨釣銭機１００や紙幣釣銭機２００の内部に収納された硬貨や紙幣の在高等の様々な情報が記憶されるようになっている。
【００５３】
次に、このような構成からなる貨幣処理システム１の動作について説明する。なお、以下に示す貨幣処理システム１の動作は、硬貨釣銭機１００の硬貨釣銭機制御部１３０や紙幣釣銭機２００の紙幣釣銭機制御部２３０、商品券読取機５００の商品券読取機制御部５３０が硬貨釣銭機１００、紙幣釣銭機２００、商品券読取機５００の各構成要素をそれぞれ制御することにより行われる。
【００５４】
まず、硬貨釣銭機１００に硬貨を入金する場合の動作について以下に説明する。硬貨釣銭機１００の硬貨受入部１１４に硬貨が受け入れられると、硬貨受入部１１４は、受け入れた硬貨を１層１列状態で１枚ずつ機体内に取り込み、取り込まれた硬貨は入金搬送部１０３により搬送される。そして、入金搬送部１０３により搬送される硬貨は硬貨識別部１０１により硬貨の識別が行われる。硬貨識別部１０１による硬貨の識別結果に基づいて、リジェクト硬貨等の、硬貨払出部１１６から払い出されるべき硬貨であると識別された硬貨は、分岐部１０４により出金搬送部１０８へ案内（搬送）され、出金搬送部１０８により硬貨払出部１１６に搬送される。一方、硬貨識別部１０１による硬貨の識別結果に基づいて、正常硬貨等の機体内に収納されるべき硬貨であると識別された硬貨は、入金搬送部１０３により硬貨収納部１０６へ搬送され、当該硬貨収納部１０６に金種別に収納される。
【００５５】
また、硬貨釣銭機１００から釣銭としての硬貨を出金する場合には、操作者は操作表示部１１２により出金されるべき硬貨の金種別の枚数や合計金額等を入力する。あるいは、ＰＯＳレジスタ３００のＰＯＳ制御部３３０から出金指令が上位制御部１２０を介して硬貨釣銭機制御部１３０に送られることにより、硬貨釣銭機１００から釣銭としての硬貨が出金されるようになる。硬貨釣銭機制御部１３０に対して出金指令が与えられると、硬貨収納部１０６に収納されている硬貨が当該硬貨収納部１０６から繰り出され、繰り出された硬貨は出金搬送部１０８により硬貨払出部１１６へ搬送される。このようにして、操作者は、硬貨払出部１１６から硬貨を取り出すことができるようになる。
【００５６】
次に、紙幣釣銭機２００に紙幣を入金する場合の動作について以下に説明する。紙幣受入部２１４の紙幣受入口２１４ａに紙幣が挿入されると、紙幣受入部２１４は、紙幣受入口２１４ａに挿入された入金紙幣を一括で取り込んで、周回搬送部２０３ａ側へ１枚ずつ繰り出す。そして、周回搬送部２０３ａ側へ繰り出された紙幣は当該周回搬送部２０３ａにより搬送され、この際に紙幣識別部２０１により紙幣の識別が行われる。紙幣識別部２０１により正常な紙幣であると識別された紙幣は、各紙幣収納部２０６に金種別に収納される。一方、紙幣受入部２１４から取り込まれた紙幣のうち、汚損や搬送異常等により紙幣識別部２０１で識別することができない紙幣は入金リジェクト紙幣として紙幣払出部２１６に返却される。
【００５７】
また、当該紙幣釣銭機２００から釣銭としての紙幣を出金する場合には、操作者は操作表示部１１２により出金されるべき紙幣の金種別の枚数や合計金額等を入力する。あるいは、ＰＯＳレジスタ３００のＰＯＳ制御部３３０から出金指令が上位制御部１２０を介して紙幣釣銭機制御部２３０に送られることにより、紙幣釣銭機２００から釣銭としての紙幣が出金されるようになる。紙幣釣銭機制御部２３０に対して出金指令が与えられると、紙幣収納部２０６に収納されている紙幣が当該紙幣収納部２０６から繰り出され、繰り出された紙幣は紙幣識別部２０１により識別された後、周回搬送部２０３ａにより紙幣払出部２１６に送られる。そして、紙幣払出部２１６は、紙幣収納部２０６から送られた紙幣を紙幣取出口２１６ａより筐体２１０外へ放出する。このようにして、操作者は、紙幣釣銭機２００から出金された紙幣を得ることができるようになる。なお、紙幣収納部２０６から繰り出された紙幣のうち、斜行等の搬送異常により紙幣識別部２０１で識別することができない紙幣は、出金リジェクト紙幣として出金リジェクト部２０４に収納される。
【００５８】
次に、商品券読取機５００による商品券の処理方法について図４に示すフローチャートを用いて説明する。図４に示すフローチャートは、スーパーマーケットやコンビニエンスストア等の店舗において顧客が商品を購入する際に、顧客から受け取った商品券を店員が処理するときの貨幣処理システム１の動作を示している。
【００５９】
店員は、顧客から受け取った商品券を商品券読取機５００の投入口５０２ａに投入する。投入口５０２ａに投入された商品券は商品券受入部５０２に受け入れられ、この商品券受入部５０２に設けられた繰出機構（図示せず）により１枚ずつ商品券搬送部５０３に繰り出される。商品券搬送部５０３に繰り出された商品券は商品券読取部５０１により読み取られ（ＳＴＥＰ１）、商品券の発行元や金額等の情報である商品券データが得られる。また、この際に、商品券金額受付手段５５０は、商品券読取部５０１により読み取られた商品券データに基づく商品券の金額を受け付ける。
【００６０】
商品券読取部５０１により商品券が読み取られると、商品券読取機制御部５３０に接続された判別部５３６は、商品券読取部５０１により得られた商品券データと、記憶部５３４に記憶された使用可能商品券データとを比較することにより、商品券読取部５０１により読み取られた商品券が商品券読取機５００で使用可能か否かを判別する（ＳＴＥＰ２）。具体的には、判別部５３６は、商品券読取部５０１により読み取られた商品券の発行元と、記憶部５３４に記憶された使用可能商品券データにおける使用可能商品券の発行元とを比較し、両者が一致すればこの商品券は商品券読取機５００で使用可能であると判断する。判別部５３６による判別結果は、商品券読取機制御部５３０からインターフェース５３２を介して硬貨釣銭機１００の上位制御部１２０に送信されるようになっている。
【００６１】
商品券読取部５０１により読み取られた商品券が、商品券読取機５００で使用可能な商品券ではないと判別部５３６により判断されたときには（ＳＴＥＰ２の「ＮＯ」）、この商品券は商品券搬送部５０３からリジェクト部５０４に送られ、リジェクト口５０４ａを介して筐体５１０の外部に返却される（ＳＴＥＰ３）。このとき、商品券が返却される理由を硬貨釣銭機１００の操作表示部１１２やＰＯＳレジスタ３００の表示部３０２に表示してもよい。一方、商品券読取部５０１により読み取られた商品券が、商品券読取機５００で使用可能な商品券であると判別部５３６により判断されたときには（ＳＴＥＰ２の「ＹＥＳ」）、硬貨釣銭機１００の上位制御部１２０は、硬貨釣銭機１００や紙幣釣銭機２００から釣銭を支払う必要があるか否かを判断する（ＳＴＥＰ４）。具体的には、硬貨釣銭機１００の上位制御部１２０は、顧客が購入しようとする商品の金額と、商品券読取部５０１により読み取られた商品券の金額とを比較し、両者が一致、もしくは商品の金額の方が多ければ硬貨釣銭機１００や紙幣釣銭機２００から釣銭を支払う必要がないと判断する。
【００６２】
硬貨釣銭機１００や紙幣釣銭機２００から釣銭を支払う必要がないと硬貨釣銭機１００の上位制御部１２０が判断したときには（ＳＴＥＰ４の「ＮＯ」）、商品券読取機５００において商品券が受け付けられ、この商品券は商品券搬送部５０３から商品券収納部５０６に送られて筐体５１０内で収納されるようになる（ＳＴＥＰ９）。一方、商品券読取部５０１により読み取られた商品券の金額が、顧客が購入しようとする商品の金額よりも大きくなり、硬貨釣銭機１００や紙幣釣銭機２００から釣銭を支払う必要があると硬貨釣銭機１００の上位制御部１２０が判断したときには（ＳＴＥＰ４の「ＹＥＳ」）、判別部５３６は、商品券読取部５０１により読み取られた商品券が、釣銭払出不可の商品券であるか否かを判別する（ＳＴＥＰ５）。具体的には、判別部５３６は、商品券読取部５０１により読み取られた商品券の発行元と、記憶部５３４に記憶された釣銭払出不可商品券データにおける釣銭払出不可の商品券の発行元とを比較し、両者が一致すればこの商品券は釣銭払出不可の商品券であると判断する。判別部５３６による判別結果は、商品券読取機制御部５３０からインターフェース５３２を介して硬貨釣銭機１００の上位制御部１２０に送信される。また、商品券種類受付手段５５２は、判別部５３６による判別結果に基づいて、商品券読取機５００の機体内に投入された商品券が釣銭払出不可の商品券か否かの情報を受け付ける。
【００６３】
商品券読取部５０１により読み取られた商品券が釣銭払出不可の商品券ではないと判別部５３６により判断されたときには（ＳＴＥＰ５の「ＮＯ」）、商品券読取部５０１により読み取られた商品券の金額と、顧客が購入しようとする商品の金額との差額分が釣銭として硬貨釣銭機１００や紙幣釣銭機２００から払い出される（ＳＴＥＰ６）。一方、商品券読取部５０１により読み取られた商品券が釣銭払出不可の商品券であると判別部５３６により判断されたときには（ＳＴＥＰ５の「ＹＥＳ」）、硬貨釣銭機１００の操作表示部１１２に、釣銭の支払いができない商品券がある旨のメッセージが表示されるようになる（ＳＴＥＰ７）。このときには、店員は顧客に対して、このような商品券を使用した場合には釣銭が支払われないがそれでも商品券を使用するか否かの確認を行い、釣銭払出不可の商品券を使用することについて顧客が合意した場合には、店員は操作表示部１１２により釣銭払出不可の商品券の使用許可の指令を上位制御部１２０に与える（ＳＴＥＰ８の「ＹＥＳ」）。釣銭払出不可の商品券の使用許可が受け付けられると、商品券読取機５００において商品券が受け付けられ、この商品券は商品券搬送部５０３から商品券収納部５０６に送られて筐体５１０内で収納されるようになる（ＳＴＥＰ９）。なお、この場合には、硬貨釣銭機１００や紙幣釣銭機２００から釣銭の払い出しは行われない。また、商品券が収納されると、商品券の在高情報が加算更新される。
【００６４】
一方、釣銭払出不可の商品券を使用することについて顧客が合意しない場合には、硬貨釣銭機１００の操作表示部１１２において釣銭払出不可の商品券の使用許可が受け付けられることはなく（ＳＴＥＰ８の「ＮＯ」）、商品券読取部５０１により読み取られた商品券は商品券搬送部５０３からリジェクト部５０４に送られ、リジェクト口５０４ａを介して筐体５１０の外部に返却される（ＳＴＥＰ３）。
【００６５】
リジェクト部５０４により商品券が筐体５１０の外部に返却された後（ＳＴＥＰ３）、店員は操作表示部１１２により他の決済処理を行うという指令を上位制御部１２０に与えることができる。より具体的には、例えば顧客が現金やクレジットカード等の支払い方法で商品の代金の支払いを行いたい場合には、操作表示部１１２において他の決済処理が受け付けられ（ＳＴＥＰ１０の「ＹＥＳ」）、貨幣処理システム１は他の決済処理を実行するようになる（ＳＴＥＰ１１）。一方、操作表示部１１２において他の決済処理が受け付けられなかった場合には（ＳＴＥＰ１０の「ＮＯ」）、貨幣処理システム１において取引が中止される（ＳＴＥＰ１２）。
【００６６】
また、本実施の形態の貨幣処理システム１において、顧客が商品を購入する際に顧客から店員に商品券および現金の両方が手渡され、商品券読取機５００に商品券が投入されるとともに硬貨釣銭機１００や紙幣釣銭機２００に硬貨や紙幣が入金された場合には、以下に示すような動作が行われる。すなわち、商品券読取機５００に商品券が投入されるとともに硬貨釣銭機１００や紙幣釣銭機２００に硬貨や紙幣が入金され、商品券読取機５００に投入された商品券が使用可能であることが判別部５３６により判別されたときに、商品券読取機５００により受け付けられた商品券の金額、および硬貨釣銭機１００や紙幣釣銭機２００に入金された硬貨や紙幣の金額の合計金額に基づいて、硬貨釣銭機１００や紙幣釣銭機２００から釣銭が払い出される。具体的には、例えば顧客が購入しようとする商品の合計金額が１８００円であり、顧客から店員に１０００円分の商品券および千円札が手渡されたときには、商品券が商品券読取機５００に投入されるとともに千円札が紙幣釣銭機２００に投入されると、２００円分の硬貨が釣銭として硬貨釣銭機１００から払い出されるようになる。
【００６７】
また、本実施の形態の貨幣処理システム１において、顧客から店員に手渡された商品券が釣銭払出不可の商品券である場合に、この商品券の金額と、顧客が購入しようとする商品の合計金額である売上高との差額である余剰金の管理が行われるようになっている。より具体的には、商品券読取機５００に設けられた余剰金算出手段５５４は、当該商品券読取機５００の機体内に投入された商品券が釣銭払出不可の商品券であるという情報が商品券種類受付手段５５２により受け付けられたときに、商品券金額受付手段５５０により受け付けられた商品券の金額と売上高の差額を余剰金として取引毎に算出する。
【００６８】
より詳細に説明すると、顧客が例えば８００円の商品を購入しようとした際に、顧客から店員に手渡された商品券が１０００円の釣銭払出不可の商品券である場合には、店員により商品券読取機５００の機体内に投入された商品券は、商品券読取部５０１により当該商品券の商品券データが読み取られ、商品券金額受付手段５５０は、商品券の金額が１０００円であるという情報を受け付ける。また、この商品券は、商品券読取機５００の判別部５３６により釣銭払出不可の商品券であると判別され、商品券種類受付手段５５２は、判別部５３６による判別結果に基づいて、商品券読取機５００の機体内に投入された商品券が釣銭払出不可の商品券であるという情報を受け付ける。そして、余剰金算出手段５５４は、商品券読取機５００の機体内に投入された商品券が釣銭払出不可の商品券であるという情報が商品券種類受付手段５５２により受け付けられたときに、商品券金額受付手段５５０により受け付けられた商品券の金額（１０００円）と売上高（８００円）の差額（２００円）を余剰金として取引毎に算出する。
【００６９】
そして、余剰金算出手段５５４により算出された余剰金の金額（２００円）は、商品券読取機５００の記憶部５３４や硬貨釣銭機１００の記憶部１３４に記憶される。また、余剰金算出手段５５４により算出された余剰金の金額は、硬貨釣銭機１００の操作表示部１１２やＰＯＳレジスタ３００の表示部３０２に表示されたり、ＰＯＳレジスタ３００の印字部３３８により印字されたりする。この際に、記憶部５３４に記憶されている余剰金の金額は、商品券読取機５００のインターフェース５３２により、商品券読取機５００から他の装置（硬貨釣銭機１００等）に送信される。
【００７０】
また、本実施の形態の貨幣処理システム１では、総売上高算出手段１３８により、顧客から受け取った商品券の在高、および顧客から受け取った貨幣の在高の合計在高と、硬貨釣銭機１００の記憶部１３４や商品券読取機５００の記憶部５３４に記憶されている余剰金の金額とに基づいて総売上高を算出するようになっている。より詳細には、総売上高算出手段１３８において、顧客から受け取った商品券の在高、および顧客から受け取った貨幣の在高の合計在高から、硬貨釣銭機１００の記憶部１３４や商品券読取機５００の記憶部５３４に記憶されている余剰金の金額を減額することによって総売上高が算出される。
【００７１】
また、硬貨釣銭機１００や紙幣釣銭機２００に収納されている硬貨や紙幣の在高、商品券読取機５００に収納されている商品券の在高等の情報はＰＯＳレジスタ３００の印字部３３８により印字することができるようになっている。図５（ａ）は、本実施の形態の貨幣処理システム１において、ＰＯＳレジスタ３００の印字部３３８により印字されたジャーナル（集計データ）を示す。図５（ａ）に示すように、ジャーナルには、硬貨釣銭機１００や紙幣釣銭機２００に収納されている硬貨や紙幣の枚数および在高が金種別に印字される（図５（ａ）のジャーナルのＮｏ．１６〜Ｎｏ．２５参照）とともに、商品券読取機５００に収納されている商品券の枚数および在高が印字される（図５（ａ）のジャーナルのＮｏ．２６参照）。また、ジャーナルには、硬貨釣銭機１００の記憶部１３４や商品券読取機５００の記憶部５３４に記憶されている余剰金の金額も印字される（図５（ａ）のジャーナルのＮｏ．２７）参照。なお、ジャーナルでは、余剰金はマイナスで印字されるようになっている。すなわち、硬貨釣銭機１００の記憶部１３４や商品券読取機５００の記憶部５３４に記憶されている余剰金の金額が３６０円である場合には、ジャーナルでは図５（ａ）に示すように−３６０円と印字されるようになる。
【００７２】
また、ＰＯＳレジスタ３００の印字部３３８により印字されるジャーナルには、硬貨釣銭機１００や紙幣釣銭機２００に収納されている硬貨や紙幣の在高、および商品券読取機５００に収納されている商品券の在高の合計在高から、硬貨釣銭機１００の記憶部１３４や商品券読取機５００の記憶部５３４に記憶されている余剰金の金額を減額することにより算出される合計金額が印字される（図５（ａ）のジャーナルのＮｏ．２８参照）。このような合計金額は、硬貨釣銭機１００や紙幣釣銭機２００に予め収納されている釣銭準備金の金額と、総売上高算出手段１３８により算出される総売上高とを合計したものである。
【００７３】
また、ジャーナルには、顧客の数である客数が印字されるとともに、各取引の売上高の合計が「食品」「酒類」「非食品」といった賞品の種類別に印字される（図５（ａ）のジャーナルのＮｏ．４〜Ｎｏ．８参照）。そして、各取引の売上高の合計（図５（ａ）のジャーナルのＮｏ．８参照）と、硬貨釣銭機１００や紙幣釣銭機２００における釣銭準備金や入出金金額等（図５（ａ）のジャーナルのＮｏ．１２参照）に基づいて算出される、計算上のレジ現金がジャーナルに印字される（図５（ａ）のジャーナルのＮｏ．１３参照）。硬貨釣銭機１００や紙幣釣銭機２００で入出金処理を行う際に店員の操作ミス等のエラーがない場合には、図５（ａ）のジャーナルのＮｏ．１３に示すような計算上のレジ現金と、図５（ａ）のジャーナルのＮｏ．２８に示すような合計金額とが一致するようになる。
【００７４】
本実施の形態の貨幣処理システム１では、比較手段１４０により、各取引の売上高と、総売上高算出手段１３８により算出された総売上高とを比較するようになっている。なお、各取引の売上高は、図５（ａ）のジャーナルのＮｏ．１３に示すような計算上のレジ現金から、硬貨釣銭機１００や紙幣釣銭機２００に予め収納されている釣銭準備金の金額を減算したものである。また、総売上高算出手段１３８により算出された総売上高は、図５（ａ）のジャーナルのＮｏ．２８に示すような合計金額から、硬貨釣銭機１００や紙幣釣銭機２００に予め収納されている釣銭準備金の金額を減算したものである。すなわち、図５（ａ）のジャーナルのＮｏ．１３に示すような計算上のレジ現金と、図５（ａ）のジャーナルのＮｏ．２８に示すような合計金額とが一致する場合には、比較手段１４０において、各取引の売上高と、総売上高算出手段１３８により算出された総売上高とが一致すると判断されるようになる。そして、比較手段１４０において両者が一致する場合には、硬貨釣銭機１００や紙幣釣銭機２００で入出金処理を行う際に店員の操作ミス等のエラーは無かったと上位制御部１２０において判断される。一方、比較手段１４０において両者が一致しない場合には、硬貨釣銭機１００や紙幣釣銭機２００で入出金処理を行う際に店員の操作ミス等のエラーがあったと上位制御部１２０において判断され、このようなエラー情報が硬貨釣銭機１００の操作表示部１１２やＰＯＳレジスタ３００の表示部３０２に表示されるようになる。
【００７５】
なお、ＰＯＳレジスタ３００の印字部３３８により印字されるジャーナルにおいて、余剰金であることがわかる表現であれば、余剰金をマイナス表示以外の方法で印字してもよい。また、ジャーナルに印字される集計データは、硬貨釣銭機１００やＰＯＳレジスタ３００の記憶部１３４、３３４に記憶されるとともに、店舗サーバ４００において収集されるようにすることも可能である。
【００７６】
なお、参照のため、従来の貨幣処理システムにおいて、ＰＯＳレジスタの印字部により印字されたジャーナル（集計データ）を図５（ｂ）に示す。従来の貨幣処理システムでは、顧客から店員に手渡された商品券が釣銭払出不可の商品券である場合に、この商品券の金額と、顧客が購入しようとする商品の合計金額である売上高との差額である余剰金の管理が行われるようにはなっていない。このため、図５（ｂ）に示すように、ＰＯＳレジスタ３００の印字部３３８により印字されるジャーナルにも、余剰金の金額が表示されることはない。すなわち、図５（ａ）のジャーナルのＮｏ．２７に示すような「商品券（余剰金）」に対応する欄が図５（ｂ）のジャーナルには無い。このため、商品券読取機５００に釣銭払出不可の商品券が投入され、余剰金が発生した場合には、計算上のレジ現金（図５（ｂ）のジャーナルのＮｏ．１３参照）と、硬貨や紙幣の在高および商品券の在高の合計在高（図５（ｂ）のジャーナルのＮｏ．２７参照）との間に差異が生じるようになるが（図５（ｂ）のジャーナルのＮｏ．１５参照）、このような差異の原因が、硬貨釣銭機１００や紙幣釣銭機２００で入出金処理を行う際の店員の操作ミスによるものなのか、あるいは顧客による釣銭払出不可の商品券の支払いによるものなのか特定することができないという問題があった。これに対して、本実施の形態の貨幣処理システム１では、顧客により釣銭払出不可の商品券が店員に支払われた場合には、余剰金が管理されていることにより、在高差異は０となり（図５（ａ）のジャーナルのＮｏ．１５参照）、このような問題が生じることはない。
【００７７】
以上のように本実施の形態の貨幣処理システム１（商品券管理システム）や商品券管理方法によれば、商品券金額受付手段５５０により商品券の金額を受け付けるとともに商品券種類受付手段５５２により商品券が釣銭払出不可の商品券か否かの情報を受け付け、商品券が釣銭払出不可の商品券であるという情報が商品券種類受付手段５５２により受け付けられたときに、商品券金額受付手段５５０により受け付けられた商品券の金額と売上高の差額を余剰金として余剰金算出手段５５４により取引毎に算出するようになっている。このことにより、余剰金の管理を適切に行うことができる。
【００７８】
また、本実施の形態の貨幣処理システム１（商品券管理システム）においては、余剰金算出手段５５４により算出された余剰金の金額を記憶する記憶部１３４、５３４が設けられている。また、記憶部１３４、５３４に記憶されている余剰金の金額は、ＰＯＳレジスタ３００の表示部３０２や硬貨釣銭機１００の操作表示部１１２に表示されたり、ＰＯＳレジスタ３００の印字部３３８により印字されたりするようになっている。また、余剰金算出手段５５４により算出された余剰金の金額は、インターフェース５３２により商品券読取機５００から他の装置（例えば、硬貨釣銭機１００等）に送信されるようになっている。
【００７９】
また、本実施の形態の貨幣処理システム１（商品券管理システム）においては、顧客から受け取った商品券の在高、および顧客から受け取った貨幣の在高の合計在高と、記憶部１３４、５３４に記憶されている余剰金の金額とに基づいて総売上高を算出する総売上高算出手段１３８が設けられている。このことにより、余剰金の金額も考慮した総売上高を算出することができるようになる。また、比較手段１４０により、各取引の売上高の合計と、総売上高算出手段１３８により算出された総売上高とを比較するようになっている。そして、両者が一致する場合には、硬貨釣銭機１００や紙幣釣銭機２００で入出金処理を行う際に店員の操作ミス等のエラーは無かったと上位制御部１２０において判断されるようになる。一方、両者が一致しない場合には、硬貨釣銭機１００や紙幣釣銭機２００で入出金処理を行う際に店員の操作ミス等のエラーがあったと上位制御部１２０において判断されるようになる。
【００８０】
また、本実施の形態の貨幣処理システム１（商品券管理システム）においては、商品券金額受付手段５５０は、商品券読取機５００の商品券読取部５０１により読み取られた商品券データに基づく商品券の金額を受け付けるようになっている。また、商品券種類受付手段５５２は、商品券読取部５０１により読み取られた商品券データと記憶部５３４に記憶された釣銭払出不可商品券データとを比較することにより、商品券が釣銭払出不可の商品券か否かの情報を受け付けるようになっている。もちろん、釣銭払出不可商品券データの代わりに、あるいは釣銭払出不可商品券データに加えて、釣銭払出可能商品券データを記憶部５３４に記憶しておくようにしてもよい。なお、商品券読取部５０１がラインセンサからなり、このラインセンサにより商品券の画像データが得られるような例について説明したが、このような例に限定されることはない。他の態様として、商品券にバーコードが形成されており、商品券読取部５０１としてバーコードリーダが用いられるようになっていてもよい。この場合、バーコードリーダにより商品券のバーコードが読み取られることにより商品券データが得られるようになる。また、商品券にＩＣチップが設けられており、商品券読取部５０１としてＩＣリーダが用いられるようになっていてもよい。この場合、ＩＣリーダにより商品券のＩＣチップが読み取られることにより商品券データが得られるようになる。
【００８１】
なお、本実施の形態による貨幣処理システム１（商品券管理システム）や商品券管理方法は、上記の態様に限定されるものではなく、様々の変更を加えることができる。
【００８２】
例えば、硬貨釣銭機１００ではなく紙幣釣銭機２００が上位制御部１２０を備えており、この紙幣釣銭機２００が親機として機能し、硬貨釣銭機１００が子機として紙幣釣銭機２００に接続されるようになっていてもよい。また、硬貨釣銭機１００および紙幣釣銭機２００のそれぞれが上位制御部１２０を備えており、これらの硬貨釣銭機１００および紙幣釣銭機２００が並列的にＰＯＳレジスタ３００に接続されるようになっていてもよい。また、硬貨釣銭機１００および紙幣釣銭機２００が一体的に構成される釣銭機がＰＯＳレジスタ３００に接続されるようになっていてもよい。また、硬貨釣銭機１００あるいは紙幣釣銭機２００の一方のみがＰＯＳレジスタ３００に接続され、当該ＰＯＳレジスタ３００により運用され、他方の釣銭機はＰＯＳレジスタ３００および一方の釣銭機から独立して運用されるようになっていてもよい。
【００８３】
また、使用可能商品券データや釣銭払出不可商品券データを記憶する記憶部５３４や、商品券読取部５０１により読み取られた商品券が使用可能か否かを判別する判別部５３６が、商品券読取機５００ではなく、硬貨釣銭機１００、紙幣釣銭機２００、あるいはＰＯＳレジスタ３００等に設けられていてもよい。
【００８４】
また、商品券読取機５００に設けられた商品券読取部５０１は例えばラインセンサからなり、このラインセンサにより商品券の画像データが得られるようになっているが、このようなラインセンサからなる商品券読取部５０１により、紙幣の識別も行うことができるようになっていてもよい。これにより、商品券読取機５００と紙幣釣銭機２００を一体化できる。
【００８５】
また、変形例に係る貨幣処理システム（商品券管理システム）では、図１等に示すような貨幣処理システム１と比較して、商品券読取機５００が設けられていなくてもよい。商品券読取機５００が設けられていないような貨幣処理システムについて、図６および図７を用いて説明する。図６は、変形例に係る貨幣処理システム１ａにおける硬貨釣銭機１００、紙幣釣銭機２００およびＰＯＳレジスタ３００の外観を示す斜視図であり、図７は、図６に示す貨幣処理システム１ａの機能ブロック図である。
【００８６】
図６および図７に示すような貨幣処理システム１ａにおいて、顧客から店員に商品券が手渡されたときには、店員は硬貨釣銭機１００の操作表示部１１２により商品券の金額を手入力するとともに、顧客から手渡された商品券が釣銭払出不可の商品券か否かの情報を手入力する。操作表示部１１２に入力された商品券の情報、および商品券が釣銭払出不可の商品券か否かの情報は硬貨釣銭機１００の上位制御部１２０に送られるようになっている。
【００８７】
また、図６および図７に示すような貨幣処理システム１ａでは、図７に示すように、硬貨釣銭機１００の上位制御部１２０には、商品券金額受付手段１５０、商品券種類受付手段１５２および余剰金算出手段１５４がそれぞれ接続されている。商品券金額受付手段１５０は、顧客から店員に手渡された商品券の金額を受け付けるようになっている。具体的には、商品券金額受付手段１５０は、店員によって操作表示部１１２により入力された商品券の金額を受け付けるようになっている。また、商品券種類受付手段１５２は、顧客から店員に手渡された商品券が釣銭払出不可の商品券か否かの情報を受け付けるようになっている。具体的には、商品券種類受付手段１５２は、店員によって操作表示部１１２により入力された、顧客から店員に手渡された商品券が釣銭払出不可の商品券か否かの情報を受け付けるようになっている。なお、商品券（現物）は、所定の引出し等に収納されることになる。
【００８８】
また、余剰金算出手段１５４は、顧客から店員に手渡された商品券が釣銭払出不可の商品券であるという情報が商品券種類受付手段１５２により受け付けられたときに、商品券金額受付手段１５０により受け付けられた商品券の金額と、顧客が購入しようとする商品の差額を余剰金として取引毎に算出するようになっている。また、余剰金算出手段１５４により算出された余剰金の金額は、硬貨釣銭機１００の記憶部１３４に記憶されるようになっている。また、余剰金算出手段１５４により算出された余剰金の金額は、硬貨釣銭機１００の操作表示部１１２やＰＯＳレジスタ３００の表示部３０２に表示されたり、ＰＯＳレジスタ３００の印字部３３８により印字されたりするようになっている。また、硬貨釣銭機１００のインターフェース１３２は、記憶部１３４に記憶されている余剰金の金額を他の装置（例えば、ＰＯＳレジスタ３００）に送信する通信部として機能するようになっている。
【００８９】
次に、図６および図７に示すような貨幣処理システム１ａの動作について説明する。なお、以下に示す貨幣処理システム１ａの動作は、硬貨釣銭機１００の硬貨釣銭機制御部１３０や紙幣釣銭機２００の紙幣釣銭機制御部２３０が硬貨釣銭機１００や紙幣釣銭機２００の各構成要素をそれぞれ制御することにより行われる。
【００９０】
図６および図７に示すような貨幣処理システム１ａにおいて、顧客から店員に手渡された商品券が釣銭払出不可の商品券である場合に、この商品券の金額と、顧客が購入しようとする商品の合計金額である売上高との差額である余剰金の管理が行われるようになっている。より具体的には、店員は、顧客から商品券を受け取ったときに、この商品券の金額、および当該商品券が釣銭払出不可の商品券か否かの情報を硬貨釣銭機１００の操作表示部１１２により入力する。商品券金額受付手段１５０は、店員によって操作表示部１１２により入力された商品券の金額を受け付ける。また、商品券種類受付手段１５２は、店員によって操作表示部１１２により入力された、顧客から店員に手渡された商品券が釣銭払出不可の商品券か否かの情報を受け付ける。硬貨釣銭機１００に設けられた余剰金算出手段１５４は、顧客から店員に手渡された商品券が釣銭払出不可の商品券であるという情報が商品券種類受付手段１５２により受け付けられたときに、商品券金額受付手段１５０により受け付けられた商品券の金額と売上高の差額を余剰金として取引毎に算出する。
【００９１】
より詳細に説明すると、顧客が例えば８００円の商品を購入しようとした際に、顧客から店員に手渡された商品券が１０００円の釣銭払出不可の商品券である場合には、店員は、この商品券の金額（１０００円）、および当該商品券が釣銭払出不可の商品券であるという情報を操作表示部１１２により入力する。商品券金額受付手段１５０は、商品券の金額が１０００円であるという情報を受け付ける。また、商品券種類受付手段１５２は、顧客から店員に手渡された商品券が釣銭払出不可の商品券であるという情報を受け付ける。そして、余剰金算出手段１５４は、顧客から店員に手渡された商品券が釣銭払出不可の商品券であるという情報が商品券種類受付手段１５２により受け付けられたときに、商品券金額受付手段１５０により受け付けられた商品券の金額（１０００円）と売上高（８００円）の差額（２００円）を余剰金として取引毎に算出する。
【００９２】
そして、余剰金算出手段１５４により算出された余剰金の金額（２００円）は硬貨釣銭機１００の記憶部１３４に記憶される。また、余剰金算出手段１５４により算出された余剰金の金額は、硬貨釣銭機１００の操作表示部１１２やＰＯＳレジスタ３００の表示部３０２に表示されたり、ＰＯＳレジスタ３００の印字部３３８により印字されたりする。この際に、記憶部１３４に記憶されている余剰金の金額は、硬貨釣銭機１００のインターフェース１３２により、硬貨釣銭機１００から他の装置（ＰＯＳレジスタ３００等）に送信される。
【００９３】
また、図６および図７に示すような貨幣処理システム１ａでは、総売上高算出手段１３８により、顧客から受け取った商品券の在高、および顧客から受け取った貨幣の在高の合計在高と、硬貨釣銭機１００の記憶部１３４に記憶されている余剰金の金額とに基づいて総売上高を算出するようになっている。より詳細には、総売上高算出手段１３８において、顧客から受け取った商品券の在高、および顧客から受け取った貨幣の在高の合計在高から、硬貨釣銭機１００の記憶部１３４に記憶されている余剰金の金額を減額することによって総売上高が算出される。また、比較手段１４０により、各取引の売上高の合計と、総売上高算出手段１３８により算出された総売上高とが比較される。
【００９４】
図６および図７に示すような貨幣処理システム１ａによれば、図１乃至図４に示すような貨幣処理システム１と同様に、商品券金額受付手段１５０により商品券の金額を受け付けるとともに商品券種類受付手段１５２により商品券が釣銭払出不可の商品券か否かの情報を受け付け、商品券が釣銭払出不可の商品券であるという情報が商品券種類受付手段１５２により受け付けられたときに、商品券金額受付手段１５０により受け付けられた商品券の金額と売上高の差額を余剰金として余剰金算出手段１５４により取引毎に算出するようになっている。このことにより、余剰金の管理を適切に行うことができる。
【００９５】
なお、図６および図７に示すような貨幣処理システム１ａにおいて、商品券金額受付手段１５０、商品券種類受付手段１５２および余剰金算出手段１５４の全てが硬貨釣銭機１００に設けられていなくてもよい。商品券金額受付手段１５０、商品券種類受付手段１５２および余剰金算出手段１５４のうち少なくとも一つが硬貨釣銭機１００に設けられていれば、他の手段が硬貨釣銭機１００以外の装置（例えばＰＯＳレジスタ３００）に設けられていてもよい。
【００９６】
また、更なる変形例に係る貨幣処理システム（商品券管理システム）では、ＰＯＳレジスタ３００単体で余剰金の管理を行うようになっていてもよい。このような貨幣処理システムについて、図８および図９を用いて説明する。図８は、更なる変形例に係る貨幣処理システム１ｂにおけるＰＯＳレジスタ３００の外観を示す斜視図であり、図９は、図８に示す貨幣処理システム１ｂの機能ブロック図である。
【００９７】
図８および図９に示すような貨幣処理システム１ｂにおいて、顧客から店員に商品券が手渡されたときには、店員はＰＯＳレジスタ３００の操作部３０４により商品券の金額を手入力するとともに、顧客から手渡された商品券が釣銭払出不可の商品券か否かの情報を手入力する。操作部３０４に入力された商品券の情報、および商品券が釣銭払出不可の商品券か否かの情報はＰＯＳレジスタ３００のＰＯＳ制御部３３０に送られるようになっている。
【００９８】
また、図８および図９に示すような貨幣処理システム１ｂでは、図９に示すように、ＰＯＳレジスタ３００のＰＯＳ制御部３３０には、商品券金額受付手段３５０、商品券種類受付手段３５２および余剰金算出手段３５４がそれぞれ接続されている。商品券金額受付手段３５０は、顧客から店員に手渡された商品券の金額を受け付けるようになっている。具体的には、商品券金額受付手段３５０は、店員によって操作部３０４により入力された商品券の金額を受け付けるようになっている。また、商品券種類受付手段３５２は、顧客から店員に手渡された商品券が釣銭払出不可の商品券か否かの情報を受け付けるようになっている。具体的には、商品券種類受付手段３５２は、店員によって操作部３０４により入力された、顧客から店員に手渡された商品券が釣銭払出不可の商品券か否かの情報を受け付けるようになっている。
【００９９】
また、余剰金算出手段３５４は、顧客から店員に手渡された商品券が釣銭払出不可の商品券であるという情報が商品券種類受付手段３５２により受け付けられたときに、商品券金額受付手段３５０により受け付けられた商品券の金額と、顧客が購入しようとする商品の差額を余剰金として取引毎に算出するようになっている。また、余剰金算出手段３５４により算出された余剰金の金額は、ＰＯＳレジスタ３００の記憶部３３４に記憶されるようになっている。また、余剰金算出手段３５４により算出された余剰金の金額は、ＰＯＳレジスタ３００の表示部３０２に表示されたり、ＰＯＳレジスタ３００の印字部３３８により印字されたりするようになっている。また、ＰＯＳレジスタ３００のインターフェース３３２は、記憶部３３４に記憶されている余剰金の金額を他の装置（例えば、店舗サーバ４００）に送信する通信部として機能するようになっている。
【０１００】
次に、図８および図９に示すような貨幣処理システム１ｂの動作について説明する。
【０１０１】
図８および図９に示すような貨幣処理システム１ｂにおいて、顧客から店員に手渡された商品券が釣銭払出不可の商品券である場合に、この商品券の金額と、顧客が購入しようとする商品の合計金額である売上高との差額である余剰金の管理が行われるようになっている。より具体的には、店員は、顧客から商品券を受け取ったときに、この商品券の金額、および当該商品券が釣銭払出不可の商品券か否かの情報を操作部３０４により入力する。商品券金額受付手段３５０は、店員によって操作部３０４により入力された商品券の金額を受け付ける。また、商品券種類受付手段３５２は、店員によって操作部３０４により入力された、顧客から店員に手渡された商品券が釣銭払出不可の商品券か否かの情報を受け付ける。余剰金算出手段３５４は、顧客から店員に手渡された商品券が釣銭払出不可の商品券であるという情報が商品券種類受付手段３５２により受け付けられたときに、商品券金額受付手段３５０により受け付けられた商品券の金額と売上高の差額を余剰金として取引毎に算出する。
【０１０２】
より詳細に説明すると、顧客が例えば８００円の商品を購入しようとした際に、顧客から店員に手渡された商品券が１０００円の釣銭払出不可の商品券である場合には、店員は、この商品券の金額（１０００円）、および当該商品券が釣銭払出不可の商品券であるという情報を操作部３０４により入力する。商品券金額受付手段３５０は、商品券の金額が１０００円であるという情報を受け付ける。また、商品券種類受付手段３５２は、顧客から店員に手渡された商品券が釣銭払出不可の商品券であるという情報を受け付ける。そして、余剰金算出手段３５４は、顧客から店員に手渡された商品券が釣銭払出不可の商品券であるという情報が商品券種類受付手段３５２により受け付けられたときに、商品券金額受付手段３５０により受け付けられた商品券の金額（１０００円）と売上高（８００円）の差額（２００円）を余剰金として取引毎に算出する。
【０１０３】
そして、余剰金算出手段３５４により算出された余剰金の金額（２００円）はＰＯＳレジスタ３００の記憶部３３４に記憶される。また、余剰金算出手段３５４により算出された余剰金の金額は、ＰＯＳレジスタ３００の表示部３０２に表示されたり、ＰＯＳレジスタ３００の印字部３３８により印字されたりする。この際に、記憶部３３４に記憶されている余剰金の金額は、ＰＯＳレジスタ３００のインターフェース３３２により、ＰＯＳレジスタ３００から他の装置（店舗サーバ４００等）に送信される。
【０１０４】
また、図８および図９に示すような貨幣処理システム１ｂにおいて、顧客から受け取った商品券の在高、および顧客から受け取った貨幣の在高の合計在高と、ＰＯＳレジスタ３００の記憶部３３４に記憶されている余剰金の金額とに基づいて総売上高を算出する総売上高算出手段が設けられていてもよい。また、図８および図９に示すような貨幣処理システム１ｂにおいて、各取引の売上高の合計と、総売上高算出手段により算出された総売上高とを比較する比較手段が設けられていてもよい。
【０１０５】
図８および図９に示すような貨幣処理システム１ｂによれば、図１乃至図４に示すような貨幣処理システム１と同様に、商品券金額受付手段３５０により商品券の金額を受け付けるとともに商品券種類受付手段３５２により商品券が釣銭払出不可の商品券か否かの情報を受け付け、商品券が釣銭払出不可の商品券であるという情報が商品券種類受付手段３５２により受け付けられたときに、商品券金額受付手段３５０により受け付けられた商品券の金額と売上高の差額を余剰金として余剰金算出手段３５４により取引毎に算出するようになっている。このことにより、余剰金の管理を適切に行うことができる。
【０１０６】
なお、図８および図９に示すような貨幣処理システム１ｂにおいて、商品券金額受付手段３５０、商品券種類受付手段３５２および余剰金算出手段３５４の全てがＰＯＳレジスタ３００に設けられていなくてもよい。商品券金額受付手段３５０、商品券種類受付手段３５２および余剰金算出手段３５４のうち少なくとも一つがＰＯＳレジスタ３００に設けられていれば、他の手段がＰＯＳレジスタ３００以外の装置（例えば店舗サーバ４００）に設けられていてもよい。また、図８および図９に示すような貨幣処理システム１ｂにおいて、バーコードリーダ（図示せず）により商品券データを読み取って、金額や釣銭払出可否を特定するようになっていてもよい。
【０１０７】
また、更なる変形例に係る貨幣処理システム（商品券管理システム）では、店舗サーバ４００で余剰金の管理を行うようになっていてもよい。このような貨幣処理システムでは、  商品券の金額を受け付ける商品券金額受付手段、商品券が釣銭払出不可の商品券か否かの情報を受け付ける商品券種類受付手段が店舗サーバ４００に設けられている。また、店舗サーバ４００には、商品券が釣銭払出不可の商品券であるという情報が商品券種類受付手段により受け付けられたときに、商品券金額受付手段により受け付けられた商品券の金額と売上高の差額を余剰金として取引毎に算出する余剰金算出手段が設けられている。なお、商品券金額受付手段、商品券種類受付手段および余剰金算出手段の全てが店舗サーバ４００に設けられていなくてもよい。商品券金額受付手段、商品券種類受付手段および余剰金算出手段のうち少なくとも一つが店舗サーバ４００に設けられていれば、他の手段が店舗サーバ４００以外の装置に設けられていてもよい。
【符号の説明】
【０１０８】
１、１ａ、１ｂ  貨幣処理システム
１００  硬貨釣銭機
１０１  硬貨識別部
１０３  入金搬送部
１０４  分岐部
１０６  硬貨収納部
１０８  出金搬送部
１１０  筐体
１１２  操作表示部
１１４  硬貨受入部
１１６  硬貨払出部
１２０  上位制御部
１３０  硬貨釣銭機制御部
１３２  インターフェース
１３４  記憶部
１３８  総売上高算出手段
１４０  比較手段
１５０  商品券金額受付手段
１５２  商品券種類受付手段
１５４  余剰金算出手段
２００  紙幣釣銭機
２０１  紙幣識別部
２０３ａ  周回搬送部
２０３ｂ  接続搬送部
２０４  出金リジェクト部
２０６  紙幣収納部
２０７  紙幣回収カセット
２１０  筐体
２１４  紙幣受入部
２１４ａ  紙幣受入口
２１６  紙幣払出部
２１６ａ  紙幣取出口
２３０  紙幣釣銭機制御部
２３２  インターフェース
３００  ＰＯＳレジスタ
３０２  表示部
３０２ａ  追加の表示部
３０４  操作部
３３０  ＰＯＳ制御部
３３２  インターフェース
３３４  記憶部
３３６  カードリーダ
３３８  印字部
３５０  商品券金額受付手段
３５２  商品券種類受付手段
３５４  余剰金算出手段
４００  店舗サーバ
５００  商品券読取機
５０１  商品券読取部
５０２  商品券受入部
５０２ａ  投入口
５０３  商品券搬送部
５０４  リジェクト部
５０４ａ  リジェクト口
５０６  商品券収納部
５０８  扉
５３０  商品券読取機制御部
５３２  インターフェース
５３４  記憶部
５３６  判別部
５５０  商品券金額受付手段
５５２  商品券種類受付手段
５５４  余剰金算出手段
【図１】
0006045800.tif 000002
【図２】
0006045800.tif 000003
【図３】
0006045800.tif 000004
【図４】
0006045800.tif 000005
【図５】
0006045800.tif 000006
【図６】
0006045800.tif 000007
【図７】
0006045800.tif 000008
【図８】
0006045800.tif 000009
【図９】
0006045800.tif 000010